(57)【要約】【課題】開口を介して本体ケース内に手を進入させた状態での作業者の作業を容易なものとすることができる搬送装置及び記録装置を提供する。【解決手段】搬送装置は、本体ケース１５の開口１４を閉塞するカバー機構３０と、カバー機構３０に支持され、作業領域１７まで搬送されたフィルム材に加熱処理を施す乾燥用ヒーター２３とを備える。カバー機構３０は、フィルム材に対向し得る開口部３１１，３２１をそれぞれ有する第１のカバー部材３１及び第２のカバー部材３２を備え、第２のカバー部材３２は、第２の回転軸３４を介して第１のカバー部材３１に回動可能な状態で連結される。開口１４を開放させる場合、第１及び第２の各カバー部材３１，３２は第２の回転軸３４が本体ケース１５から離れる方向に移動すると共に互いの開口部３１１，３２１同士が対向し合うように変位し、乾燥用ヒーター２３は第１及び第２の各カバー部材３１，３２の間に位置する。【選択図】図３
2013052596.tif 000002
【特許請求の範囲】
【請求項１】
本体ケース内において媒体を搬送方向に沿って搬送する搬送装置であって、
前記本体ケースに形成された開口を閉塞するためのカバー機構と、
前記カバー機構に支持され、前記開口が開放された場合に該開口を介して前記本体ケース外と連通する作業領域まで搬送された媒体に規定の処理を施す処理手段と、を備え、
前記カバー機構は、前記開口を閉塞する際に前記搬送方向に沿って搬送される媒体に対向し得る対向部をそれぞれ有する第１のカバー部材及び第２のカバー部材を備え、該第２のカバー部材は、連結手段を介して前記第１のカバー部材に回動可能な状態で連結され、
前記開口を開放させる場合、前記第１及び第２の各カバー部材は、前記連結手段が前記本体ケースから離れる方向に移動すると共に互いの前記対向部同士が対向し合うように変位し、
前記開口が開放された場合、前記処理手段は、前記第１及び第２の各カバー部材の間に位置することを特徴とする搬送装置。
【請求項２】
前記処理手段は、前記開口を開放させるための前記カバー機構の駆動によって、前記第１及び第２の各カバー部材の間となる位置に向けて移動することを特徴とする請求項１に記載の搬送装置。
【請求項３】
前記カバー機構は、前記第１のカバー部材を前記搬送方向における一方側に配置すると共に、前記第２のカバー部材を前記搬送方向における他方側に配置した構成であり、
前記第１のカバー部材の前記搬送方向における一方側の端部は、前記搬送方向と交差する方向に延びる第１の回転軸線を中心とした回動が可能な状態で前記本体ケースに支持され、
前記第１のカバー部材の前記搬送方向における他方側の端部には、前記第２のカバー部材の前記搬送方向における一方側の端部が、前記第１の回転軸線と間隔を置いて位置する第２の回転軸線を中心とした回動が可能な状態で前記連結手段を介して連結されていることを特徴とする請求項１又は請求項２に記載の搬送装置。
【請求項４】
前記開口を開放させるべく前記カバー機構が駆動される場合に、前記第２のカバー部材の前記搬送方向における他方側の端部を、前記第１のカバー部材の前記搬送方向における一方側の端部に近づくようにガイドするガイド手段をさらに備えることを特徴とする請求項３に記載の搬送装置。
【請求項５】
前記カバー機構が前記開口を閉塞する状態を維持させるためのロック機構をさらに備え、
前記カバー機構には、前記開口を閉塞する状態から該開口を開放させる際に操作される操作部と、前記開口を開放させるために前記操作部が操作された際における操作力を前記ロック機構に伝達するための伝達部とが設けられており、
前記ロック機構は、前記伝達部を介して伝達された操作力によって、前記開口の開放を許容すべく動作することを特徴とする請求項１〜請求項４のうち何れか一項に記載の搬送装置。
【請求項６】
前記第１のカバー部材は、前記第２のカバー部材よりも前記搬送方向における上流側に配置されており、
前記第２のカバー部材の前記搬送方向における長さは、前記第１のカバー部材の前記搬送方向における長さ以上であることを特徴とする請求項３又は請求項４に記載の搬送装置。
【請求項７】
請求項１〜請求項６のうち何れか一項に記載の搬送装置と、
前記本体ケース内に配置され、搬送途中の媒体に対して記録を施す記録ヘッドと、を備えることを特徴とする記録装置。
【発明の詳細な説明】
【技術分野】
【０００１】
本発明は、用紙などの媒体を搬送方向に沿って搬送する搬送装置、及び該搬送装置によって搬送される媒体に対して記録を施す記録ヘッドを備える記録装置に関する。
【背景技術】
【０００２】
一般に、記録装置の一種として、記録ヘッドからインク（流体）を用紙などの媒体に噴射して記録を施すインクジェット式プリンターが知られている（特許文献１参照）。この特許文献１に記載のインクジェット式プリンターは、略矩形箱状をなす本体ケースを備えており、該本体ケース内に記録ヘッドが設けられている。
【０００３】
本体ケースの上壁部には、本体ケース内外を連通させるための開口が形成されている。また、本体ケースは、カバー部材を、開口を閉塞可能な閉塞位置と閉塞不能な開放位置との間で回動可能に支持している。そして、本体ケース内で紙ジャムなどの問題が発生した場合においては、閉塞位置に位置するカバー部材が開放位置まで回動され、本体ケース内が開口を介して外部と連通される。すると、開口を介して本体ケース内に手を進入させた状態で、作業者は上記問題を解消すべく作業を行う。
【先行技術文献】
【特許文献】
【０００４】
【特許文献１】特開２００４−１４２３１３号公報
【発明の概要】
【発明が解決しようとする課題】
【０００５】
ところで、近年では、媒体において記録済みとなった部分（以下、「記録済み部分」ともいう。）に付着したインクの溶媒を揮発させるためのヒーター（加熱部）及び媒体から記録済み部分を切り離すためのカッターなどの処理手段を搭載したインクジェット式プリンターの開発が進められている。こうした処理手段は、媒体に対して規定の処理（加熱処理や切断処理など）を施すための手段であることから、本体ケース内において媒体の搬送経路の近い位置に配置されている。そのため、紙ジャムなどの不良が発生したりメンテナンスを行ったりする場合、作業者は、本体ケース内における上記処理手段の配置位置近傍の領域（以下、「作業領域」ともいう。）まで開口を介して手を進入させた状態で作業を行うこともあり得る。
【０００６】
しかしながら、本体ケース内の作業領域に手を進入させて作業を行う場合、作業者は、処理手段に自身の手が触れないように作業を行う。この場合、作業者が処理手段に気をとられて作業に集中できず、結果として、作業領域に手を進入させた状態での作業に必要以上の時間を要するおそれがある。
【０００７】
本発明は、上記問題点に鑑みてなされたものである。その目的は、開口を介して本体ケース内に手を進入させた状態での作業者の作業を容易なものとすることができる搬送装置及び記録装置を提供することにある。
【課題を解決するための手段】
【０００８】
上記目的を達成するために、本発明は、本体ケース内において媒体を搬送方向に沿って搬送する搬送装置であって、前記本体ケースに形成された開口を閉塞するためのカバー機構と、前記カバー機構に支持され、前記開口が開放された場合に該開口を介して前記本体ケース外と連通する作業領域まで搬送された媒体に規定の処理を施す処理手段と、を備え、前記カバー機構は、前記開口を閉塞する際に前記搬送方向に沿って搬送される媒体に対向し得る対向部をそれぞれ有する第１のカバー部材及び第２のカバー部材を備え、該第２のカバー部材は、連結手段を介して前記第１のカバー部材に回動可能な状態で連結され、前記開口を開放させる場合、前記第１及び第２の各カバー部材は、前記連結手段が前記本体ケースから離れる方向に移動すると共に互いの前記対向部同士が対向し合うように変位し、前記開口が開放された場合、前記処理手段は、前記第１及び第２の各カバー部材の間に位置する。
【０００９】
上記構成によれば、本体ケースの開口から手を作業領域内に進入させた状態で作業を作業者が行う場合には、連結手段が本体ケースから離れる方向に移動すると共に互いの対向部同士が対向し合うように第１及び第２の各カバー部材が変位される。そして、本体ケースの開口が開放された場合、処理手段は、第１及び第２の各カバー部材の間に位置している。この状態で開口から作業領域内に手を進入させる場合、作業者の身体の一部と処理手段との接触は、第１及び第２の各カバー部材によって抑制される。したがって、処理手段と作業者の身体の一部との接触がカバー機構によって抑制される分、開口を介して本体ケース内に手を進入させた状態での作業者の作業を容易なものとすることができる。
【００１０】
本発明の搬送装置において、前記処理手段は、前記開口を開放させるための前記カバー機構の駆動によって、前記第１及び第２の各カバー部材の間となる位置に向けて移動する。
【００１１】
上記構成によれば、第１及び第２の各カバー部材の変位に伴い、カバー手段に支持される処理手段が移動する。そして、本体ケースの開口が開放された場合、処理手段は、第１及び第２の各カバー部材の間に位置している。この状態で開口から作業領域内に手を進入させる場合、作業者の身体の一部と処理手段との接触は、第１及び第２の各カバー部材によって抑制される。したがって、処理手段と作業者の身体の一部との接触がカバー機構によって抑制される分、開口を介して本体ケース内に手を進入させた状態での作業者の作業を容易なものとすることができる。
【００１２】
本発明の搬送装置において、前記カバー機構は、前記第１のカバー部材を前記搬送方向における一方側に配置すると共に、前記第２のカバー部材を前記搬送方向における他方側に配置した構成であり、前記第１のカバー部材の前記搬送方向における一方側の端部は、前記搬送方向と交差する方向に延びる第１の回転軸線を中心とした回動が可能な状態で前記本体ケースに支持され、前記第１のカバー部材の前記搬送方向における他方側の端部には、前記第２のカバー部材の前記搬送方向における一方側の端部が、前記第１の回転軸線と間隔を置いて位置する第２の回転軸線を中心とした回動が可能な状態で前記連結手段を介して連結されている。
【００１３】
上記構成によれば、本体ケースの開口を開放させる場合、第１のカバー部材は、本体ケースに対して第１の回転軸線を中心に回動する。このとき、連結手段は、第１のカバー部材の回動によって本体ケースから離れる方向に移動する。また、第２のカバー部材を第１のカバー部材に対して第２の回転軸線を中心に回動させると、第２のカバー部材の搬送方向における他方側の端部が、第１のカバー部材の搬送方向における一方側の端部に近づくように変位する。そして、開口が開放された状態では、第１及び第２の各カバー部材は、開口の搬送方向における一方側に配置される。そのため、開口が開放された状態で、第１及び第２の各カバー部材が開口の搬送方向における中途位置に配置される場合と比較して、作業者の手を、開口を介して作業領域内に進入させやすくできる。したがって、作業者の手を作業領域内に開口を介して進入させやすくできる分、開口を介して本体ケース内に手を進入させた状態での作業者の作業を容易なものとすることができる。
【００１４】
本発明の搬送装置は、前記開口を開放させるべく前記カバー機構が駆動される場合に、前記第２のカバー部材の前記搬送方向における他方側の端部を、前記第１のカバー部材の前記搬送方向における一方側の端部に近づくようにガイドするガイド手段をさらに備える。
【００１５】
上記構成によれば、本体ケースの開口を開放させるために第１及び第２の各カバー部材が変位される場合、第２のカバー部材の搬送方向における他方側の端部は、ガイド手段によって、第１のカバー部材の搬送方向における一方側の端部に近づくようにガイドされる。つまり、第２のカバー部材を、第１のカバー部材の回動に連動して変位させることができる。
【００１６】
本発明の搬送装置は、前記カバー機構が前記開口を閉塞する状態を維持させるためのロック機構をさらに備え、前記カバー機構には、前記開口を閉塞する状態から該開口を開放させる際に操作される操作部と、前記開口を開放させるために前記操作部が操作された際における操作力を前記ロック機構に伝達するための伝達部とが設けられており、前記ロック機構は、前記伝達部を介して伝達された操作力によって、前記開口の開放を許容すべく動作する。
【００１７】
上記構成によれば、操作部を作業者が操作しない限り、カバー機構による開口の閉塞がロック機構によって維持される。そのため、本体ケースの開口が不用意に開放される可能性を低くすることができる。
【００１８】
本発明の搬送装置において、前記第１のカバー部材は、前記第２のカバー部材よりも前記搬送方向における上流側に配置されており、前記第２のカバー部材の前記搬送方向における長さは、前記第１のカバー部材の前記搬送方向における長さ以上である。
【００１９】
上記構成によれば、第１のカバー部材よりも第２のカバー部材に近い側から作業者が手を作業領域内に進入させる場合に、作業者の身体の一部が処理手段に接触することが、搬送方向における長さが第１のカバー部材以上である第２のカバー部材によって抑制される。そのため、第２のカバー部材の搬送方向における長さが第１のカバー部材よりも短い場合と比較して、作業中における作業者の身体の一部と処理手段との接触を抑制することができる。
【００２０】
本発明の記録装置は、上記搬送装置と、前記本体ケース内に配置され、搬送途中の媒体に対して記録を施す記録ヘッドと、を備える。
上記構成によれば、記録ヘッドによって記録が施される媒体の搬送経路の途中に設定された作業領域に媒体が搬送されると、該媒体に対して処理手段が規定の処理を施す。こうした処理手段と作業領域まで手を進入させる又は進入させた作業者の身体の一部との接触を、処理手段を第１及び第２の各カバー部材の間に配置することにより抑制することができる。
【図面の簡単な説明】
【００２１】
【図１】（ａ）（ｂ）は本発明の記録装置の一実施形態であるインクジェット式プリンターを示す斜視図。
【図２】（ａ）は本体ケース内の構成を示す断面図、（ｂ）は装置本体の側断面図。
【図３】（ａ）は本体ケース内の構成を示す断面図、（ｂ）は装置本体の側断面図。
【図４】（ａ）（ｂ）はロック機構の構成を示す斜視図。
【発明を実施するための形態】
【００２２】
以下、本発明の記録装置を具体化した一実施形態を、図１〜図４に基づいて説明する。なお、以下における本明細書中の説明において、図２及び図３において紙面と直交する方向を「第１の方向Ａ」といい、図２及び図３における左右方向を「第２の方向Ｂ」というものとする。
【００２３】
図１（ａ）（ｂ）に示すように、記録装置の一例としてのインクジェット式プリンター１１は、支持用脚部１２に支持される装置本体１３を備えている。この装置本体１３では、内部に搬送された媒体の一例としてのフィルム材に対して記録処理が行われる。こうした装置本体１３には、前側に開口１４が形成された本体ケース１５と、開口１４を閉塞させたり開放させたりする際に駆動される閉塞装置１６とが設けられている。なお、図１（ａ）は開口１４が閉塞された状態を示すと共に、図１（ｂ）は開口１４を開放した状態を示している。
【００２４】
図２（ａ）（ｂ）に示すように、本体ケース１５内において開口１４を介して外部と連通する領域は、作業領域１７である。この作業領域１７において、フィルム材１８の搬送方向における上流側の領域の図２における下側には、該作業領域１７まで搬送されたフィルム材１８を支持する支持台１９が設けられている。この支持台１９の上面は、フィルム材１８を支持する支持面となっており、作業領域１７内において支持面と対向する位置には、記録機構２０が設けられている。
【００２５】
この記録機構２０は、第１の方向Ａ（「走査方向」ともいう。）に延びる図示しないガイド軸と、該ガイド軸に対して第１の方向Ａに進退移動可能な状態で支持されるキャリッジ２１とを備えている。そして、キャリッジ２１において支持面に対向する部分には、フィルム材１８において支持台１９に支持された被記録部分１８Ａに対して、記録材の一例としてのインク（流体）を噴射して記録を施す記録ヘッド２２が設けられている。
【００２６】
本体ケース１５内において作業領域１７の上記上流側の領域を挟んで支持台１９とは反対側の領域、即ち作業領域１７の上記上流側の領域の図２における上側には、処理手段の一例としての乾燥用ヒーター２３が設けられている。この乾燥用ヒーター２３は、シーズヒーター（Sheathed Heater）を有している。そして、乾燥用ヒーター２３からは、支持台１９に向けて熱エネルギーが放射される。その結果、支持台１９に支持されるフィルム材１８の被記録部分１８Ａに付着したインクの液体成分（即ち、溶媒）は、乾燥用ヒーター２３からの熱エネルギーによって揮発される。つまり、本実施形態においてフィルム材１８の被記録部分１８Ａからインクを揮発させる加熱処理（又は「乾燥処理」ともいう。）が、規定の処理に該当する。
【００２７】
本体ケース１５内には、作業領域１７内を上記上流側の領域から搬送方向における下流側に搬送されたフィルム材１８に付着したインクを該フィルム材１８に定着させるための処理手段の一例としての定着用ヒーター２４が設けられている。この定着用ヒーター２４は、フィルム材１８の搬送経路の上側に配置されている。本実施形態では、定着用ヒーター２４によってフィルム材１８にインクを定着させる定着処理も、規定の処理に該当する。そして、定着用ヒーター２４によって加熱されたフィルム材１８は、本体ケース１５における搬送方向最下流に位置する排出口２５を介して外部に排出される。
【００２８】
次に、閉塞装置１６について図１〜図４を参照して説明する。
図１及び図２（ａ）（ｂ）に示すように、閉塞装置１６は、本体ケース１５の開口１４を閉塞するためのカバー機構３０と、カバー機構３０で開口１４を閉塞した状態を維持させるためのロック機構５０とを備えている。カバー機構３０は、搬送方向における上流側（一方側）に配置される第１のカバー部材３１と、搬送方向における下流側（他方側）に配置される第２のカバー部材３２とを有している。第１のカバー部材３１の搬送方向における長さＨ１は、第２のカバー部材３２の搬送方向における長さＨ２と同程度である。こうした第１のカバー部材３１においてフィルム材１８の搬送経路に対向する対向部は、第１の開口部３１１となっている。そして、第１のカバー部材３１は、図２において作業領域１７の上方に位置する乾燥用ヒーター２３を支持している。
【００２９】
また、第１のカバー部材３１の搬送方向における上流側の端部（一方側の端部）は、第２の方向Ｂにおいて記録機構２０及び乾燥用ヒーター２３の配置位置と略同一位置に位置する被支持部３１ａである。この被支持部３１ａは、搬送方向に直交（交差）する第１の方向Ａに延びる第１の回転軸（第１の回転軸線）３３を中心に回動自在な状態で本体ケース１５に支持されている。
【００３０】
一方、第１のカバー部材３１の搬送方向における下流側の端部（他方側の端部）は、第２のカバー部材３２が連結される連結部３１ｂである。この連結部３１ｂには、第２のカバー部材３２が、第１の回転軸３３との間で間隔を置いて配置される連結手段の一例としての第２の回転軸（第２の回転軸線）３４を中心に回動自在な状態で連結されている。この第２の回転軸３４は、第１の方向Ａに延びると共に、第１及び第２の各カバー部材３１，３２に対して回転自在である。
【００３１】
第２のカバー部材３２においてフィルム材１８の搬送経路に対向する対向部は、第２の開口部３２１となっている。また、第２のカバー部材３２内には、第２の開口部３２１を介して第２のカバー部材３２外に連通する収容空間３２２が形成されている。そして、この収容空間３２２に定着用ヒーター２４が収容されている。定着用ヒーター２４からは、第２の開口部３２１を介して、搬送方向に沿って搬送されるフィルム材１８に対して熱エネルギーが放射され、付着したインクがフィルム材１８に定着される。
【００３２】
こうした第２のカバー部材３２の搬送方向における上流側の端部（一方側の端部）は、第１のカバー部材３１の連結部３１ｂに第２の回転軸３４を介して連結される被連結部３２ａである。また、第２のカバー部材３２の搬送方向における下流側の端部（他方側の端部）は、フィルム材１８を本体ケース１５外に排出させるための排出口２５を構成する排出口構成部３２ｂとして機能する。こうした第２のカバー部材３２の排出口構成部３２ｂの第１の方向Ａにおける両端には、排出口構成部３２ｂを、第１の方向Ａに沿って延びる第３の回転軸３５を介して回動自在に支持するガイド手段の一例としての支持アーム３６がそれぞれ連結されている。そして、両支持アーム３６の基端３６ａは、第１の方向Ａに延びる第４の回転軸３７を介して回動自在な状態で、本体ケース１５の側壁１５Ａに支持されている。また、両支持アーム３６の先端３６ｂは、第３の回転軸３５を介して第２のカバー部材３２の排出口構成部３２ｂに連結されている。つまり、第２のカバー部材３２の排出口構成部３２ｂは、第４の回転軸３７を中心に回動可能となっている。
【００３３】
また、カバー機構３０の第１の方向Ａにおける両側には、図２（ａ）及び図３（ａ）に示すように、第２のカバー部材３２を、本体ケース１５の開口１４の開放が維持される方向に付勢するための付勢手段としての付勢機構３８（例えば、ガススプリング）がそれぞれ設けられている。付勢機構３８の一端３８ａは、本体ケース１５の側壁１５Ａに、第１の方向Ａに延びる回転軸線を中心に回動自在な状態で支持されている。また、付勢機構３８の他端３８ｂは、支持アーム３６の長手方向における中途位置（長手方向における中央よりも先端３６ｂに近い位置）に、第１の方向Ａに延びる回転軸線を中心に回動自在な状態で支持されている。つまり、本実施形態では、本体ケース１５の開口１４が開放されている場合、付勢機構３８は、支持アーム３６に対して、第４の回転軸３７を中心とした図３（ａ）における時計方向への支持アーム３６の回動を規制させる力を付与している。
【００３４】
また、図２（ｂ）及び図３（ｂ）に示すように、第２のカバー部材３２の外面側には、本体ケース１５の開口１４を開放させる際に作業者によって操作される操作部の一例としての開閉ハンドル３９が設けられている。この開閉ハンドル３９は、第２のカバー部材３２の第１の方向Ａにおける中央に配置されると共に、第２の回転軸３４と一体回転する。すなわち、開口１４を開放させるために開閉ハンドル３９が開放方向Ｃに回転するように操作された場合、第２の回転軸３４は、開閉ハンドル３９と共に開放方向Ｃに回転する。なお、開閉ハンドル３９には、図示しない付勢部材によって、開放方向Ｃとは反対方向への付勢力が付与されている。
【００３５】
ロック機構５０は、カバー機構３０の第１の方向Ａにおける両側にそれぞれ配置されている。これら各ロック機構５０には、図４（ａ）（ｂ）に示すように、第２の回転軸３４の端部３４ａに支持されるロックレバー５１と、本体ケース１５の側壁１５Ａから第１の方向Ａにおいて内側に突出する係止軸５２とが設けられている。ロックレバー５１には、第２の回転軸３４から、該第２の回転軸３４の延びる方向（第１の方向Ａ）と直交する一方向に延びるレバー本体５１ａが設けられ、該レバー本体５１ａの先端には、係止軸５２に係止される係止部５１ｂが突設されている。
【００３６】
そして、開閉ハンドル３９が操作されていない場合、図４（ａ）に示すように、ロックレバー５１の係止部５１ｂが係止軸５２に係止されている。この状態では、カバー機構３０による本体ケース１５の開口１４の閉塞が、ロック機構５０によって維持される。一方、開閉ハンドル３９が操作されて第２の回転軸３４が開放方向Ｃに回転した場合、図４（ｂ）に示すように、ロックレバー５１が、第２の回転軸３４を中心として開放方向Ｃに回動する。その結果、ロックレバー５１の係止部５１ｂと係止軸５２との係合状態が解消される。したがって、本実施形態では、第２の回転軸（連結手段）３４が、開口１４を開放させるために開閉ハンドル３９が作業者に操作された際における操作力をロック機構５０（ロックレバー５１）に伝達するための伝達部としても機能する。
【００３７】
次に、本体ケース１５の開口１４を開放させる際の作用について説明する。なお、開口１４を開放させた状態で作業者が行う作業としては、フィルム材１８の搬送不良を解消させるための作業、搬送経路に沿ってフィルム材１８をセットするための作業、作業領域１７内に位置する部品の交換などを含むメンテナンスなどが挙げられる。
【００３８】
さて、本体ケース１５の開口１４を介して手を作業領域１７内に進入させた状態で作業を行う予定の作業者は、開口１４を開放させるべくカバー機構３０を駆動させる。すなわち、第２のカバー部材３２に設けられた開閉ハンドル３９が開放方向Ｃに回動されると、該開閉ハンドル３９に連結される第２の回転軸３４が開放方向Ｃに回転する。すると、第２の回転軸３４から操作力がロックレバー５１に伝達され、該ロックレバー５１が開放方向Ｃに回動する。その結果、ロックレバー５１の係止部５１ｂと本体ケース１５の側壁１５Ａに設けられた係止軸５２との係合状態が解消される（図４（ａ）（ｂ）参照）。
【００３９】
この状態を維持して第１及び第２の各カバー部材３１，３２を連結する第２の回転軸３４を、本体ケース１５から離れる方向、即ち図２及び図３では上方に移動させるように、第２のカバー部材３２が操作される。すると、第１のカバー部材３１の連結部３１ｂ及び第２のカバー部材３２の被連結部３２ａは、本体ケース１５から離れる方向に変位する。その結果、第１のカバー部材３１は、第１の回転軸３３を中心として図３における反時計方向に回動する。
【００４０】
このとき、第２のカバー部材３２の排出口構成部３２ｂは、該排出口構成部３２ｂに連結される支持アーム３６を回動自在に支持する第４の回転軸３７を中心として図３における反時計方向に回動する。すると、第２のカバー部材３２の排出口構成部３２ｂは、支持アーム３６によって、第１のカバー部材３１の被支持部３１ａに近づくようにガイドされる。その結果、第２のカバー部材３２は、第１のカバー部材３１の回動に連動し、第２の回転軸３４を中心として図３における時計方向に第１のカバー部材３１に対して相対的に回動する。
【００４１】
こうした第１及び第２の各カバー部材３１，３２の回動（変位）によって、第２のカバー部材３２に形成された第２の開口部３２１は、第１のカバー部材３１に形成された第１の開口部３１１に対して相対的に接近する。そして、本体ケース１５の開口１４が開放された場合、第１及び第２の各カバー部材３１，３２の開口部３１１，３２１は、互いに対向している（図３参照）。
【００４２】
なお、第１のカバー部材３１に支持される乾燥用ヒーター２３は、第１のカバー部材３１の回動に伴って、該第１のカバー部材３１と共に回動する。具体的には、乾燥用ヒーター２３は、本体ケース１５内から開口１４を介して本体ケース１５外に移動される。そのため、本体ケース１５の開口１４が開放されても乾燥用ヒーター２３が本体ケース１５内に残る場合と比較して、作業領域１７が広くなる。その結果、手を作業領域１７内に進入させた状態での作業が行いやすくなる。
【００４３】
また、第１及び第２の各カバー部材３１，３２の回動が完了した状態では、乾燥用ヒーター２３は、搬送方向において第１のカバー部材３１と第２のカバー部材３２の間に位置している（図３（ａ）（ｂ）参照）。そのため、開口１４から作業者の手が作業領域１７内に進入しても、該作業者の身体の一部（例えば、手や頭部）と乾燥用ヒーター２３との接触がカバー機構３０によって抑制される。
【００４４】
本実施形態の第２のカバー部材３２内の収容空間３２２には定着用ヒーター２４が収容されており、該収容空間３２２は、第２の開口部３２１を介して外部と連通している。この第２の開口部３２１は、本体ケース１５の開口１４が開放された場合、第１の開口部３１１と対向する。つまり、本体ケース１５の開口１４が開放された状態では、定着用ヒーター２４と作業者の身体の一部との接触は、第２のカバー部材３２によって抑制される。
【００４５】
また、本体ケース１５の開口１４が開放されている場合、カバー機構３０には、付勢機構３８によって、開口１４の開放状態が維持される方向に付勢されている。そのため、作業者の作業途中などで、作業者の意図に反して、開口１４を閉塞すべくカバー機構３０が駆動されることが抑制される。つまり、安全性を確保した状態で、作業者は作業を行うことが可能となる。
【００４６】
なお、作業が完了して本体ケース１５の開口１４を閉塞させる場合、開閉ハンドル３９を開放方向Ｃに回動させた状態で、第２の回転軸３４が本体ケース１５に近づくようにカバー機構３０が駆動される。すると、第１のカバー部材３１は、第１の回転軸３３を中心として、図３における時計方向に回動する。同時に、第２のカバー部材３２は、第１のカバー部材３１に対して、互いの開口部３１１，３２１同士が離れる方向に回動する。このとき、第２のカバー部材３２の排出口構成部３２ｂは、第４の回転軸３７を中心に、図３における時計方向に回動する。
【００４７】
そして、開口１４が第１及び第２の各カバー部材３１，３２によって閉塞された状態で作業者の手が開閉ハンドル３９から離れると、開閉ハンドル３９は、開放方向Ｃとは逆方向に回動する。すると、ロックレバー５１は開放方向Ｃとは逆方向に回動し、該ロックレバー５１の係止部５１ｂが係止軸５２に係止される。その結果、開口１４の閉塞状態が維持される。
【００４８】
上記実施形態によれば、以下のような効果を得ることができる。
（１）本体ケース１５の開口１４を開放させる場合、カバー機構３０を構成する第１及び第２の各カバー部材３１，３２は、第２の回転軸３４が本体ケース１５から離れる方向に移動すると共に互いの開口部３１１，３２１同士が対向し合うように変位される。このとき、カバー機構３０に支持される乾燥用ヒーター２３は、カバー機構３０の駆動に基づき移動する。そして、開口１４が開放された状態では、乾燥用ヒーター２３は、第１及び第２の各カバー部材３１，３２の間に位置する。そのため、開口１４から作業領域１７内に手を進入させる場合又は進入させた場合に、作業者の身体の一部が乾燥用ヒーター２３に接触することを、第１及び第２の各カバー部材３１，３２によって抑制される。したがって、乾燥用ヒーター２３と作業者の身体の一部との接触がカバー機構３０によって抑制される分、開口１４を介して本体ケース１５内に手を進入させた状態での作業者の作業を容易なものとすることができる。
【００４９】
（２）また、本体ケース１５の開口１４を開放させるべくカバー機構３０が駆動されると、該カバー機構３０に支持される乾燥用ヒーター２３は、本体ケース１５外に移動される。そのため、開口１４が開放されても乾燥用ヒーター２３が本体ケース１５内に残る場合と比較して作業領域１７が広くなる分、該作業領域１７内に手を進入させた状態での作業を行いやすくすることができる。
【００５０】
（３）さらには、本実施形態では、本体ケース１５の開口１４を開放させるためには、第１のカバー部材３１だけではなく第２のカバー部材３２も変位される。つまり、第１のカバー部材３１のみが変位する構成の場合と比較して、開口１４が広くなる。そのため、開口１４を介して作業者の手を作業領域１７内に進入させやすくすることができ、ひいては作業を行いやすくすることができる。
【００５１】
（４）本実施形態では、本体ケース１５の開口１４が開放された状態では、第１及び第２の各カバー部材３１，３２は、開口１４の搬送方向における上流側に位置している。そのため、開口１４が開放された状態で、第１及び第２の各カバー部材３１，３２が開口１４の搬送方向における中途位置に位置する場合及び搬送方向における下流側に位置する場合と比較して、作業者の手を、開口１４を介して作業領域１７内に進入させやすくできる。したがって、作業者の手を作業領域１７内に開口１４を介して進入させやすくできる分、開口１４を介して本体ケース１５内に手を進入させた状態での作業者の作業を容易なものとすることができる。
【００５２】
（５）本体ケース１５の開口１４を開放させる場合、第２のカバー部材３２の排出口構成部３２ｂは、支持アーム３６によって、第１のカバー部材３１の被支持部３１ａに近づくようにガイドされる。つまり、第１のカバー部材３１の図３における反時計方向への回動に連動して第２のカバー部材３２を変位させることができる。
【００５３】
（６）そして、本体ケース１５の開口１４が開放されると、付勢機構３８からカバー機構３０に付与される付勢力によって、開口１４の開放状態が保持される。つまり、作業者による作業中などにおいて作業者の意図に反して、開口１４を閉塞させるべくカバー機構３０が駆動することを抑制できる。そのため、作業者は、安全を確保しつつ、手を作業領域１７内に進入させた状態で作業を行うことができる。
【００５４】
（７）一方、本体ケース１５の開口１４が閉塞される場合、ロック機構５０によって、カバー機構３０の駆動が規制される。そのため、開口１４が不用意に開放される可能性を低くすることができる。
【００５５】
（８）第１のカバー部材３１よりも第２のカバー部材３２に近い側から作業者が手を作業領域１７内に進入させる場合に、作業者の身体の一部と乾燥用ヒーター２３との接触が、搬送方向における長さが第１のカバー部材３１以上である第２のカバー部材３２によって抑制される。そのため、第２のカバー部材３２の搬送方向における長さＨ２が第１のカバー部材３１よりも短い場合と比較して、作業中に、作業者の身体の一部と乾燥用ヒーター２３とが接触する可能性を低くすることができる。
【００５６】
（９）第２のカバー部材３２の長さＨ２が、第１のカバー部材３１の長さＨ１よりも長すぎると、本体ケース１５の開口１４を開放させた場合に、第２のカバー部材３２によって、開口１４を介した作業領域１７への作業者の手の進入が妨げられるおそれがある。この点、本実施形態では、第２のカバー部材３２の長さＨ２は第１のカバー部材３１の長さＨ１と同程度である。そのため、開口１４を介した作業領域１７への作業者の手の進入が第２のカバー部材３２によって妨げられることを抑制できる。
【００５７】
なお、上記実施形態は以下のように変更してもよい。
・実施形態において、第２のカバー部材３２の長さＨ２を、第１のカバー部材３１の長さＨ１よりも長くしてもよい。ただし、第２のカバー部材３２の長さＨ２を、開口１４を介した作業領域１７への作業者の手の進入を第２のカバー部材３２が妨げない程度の長さに設定することが好ましい。
【００５８】
・実施形態において、ロック機構は、開閉ハンドル３９と連動して駆動しない構成であってもよい。つまり、ロック機構には、開閉ハンドル３９と別の操作部を設けてもよい。
・実施形態において、付勢機構３８を省略してもよい。
【００５９】
・実施形態において、支持アーム３６を省略してもよい。
・実施形態において、カバー機構は、本体ケース１５の開口１４を開放させた場合に、該開口１４の搬送方向における下流側に位置するように構成してもよい。例えば、第２のカバー部材の搬送方向における下流側の端部を、本体ケース１５に回動自在な状態で支持させると共に、第１のカバー部材の搬送方向における上流側の端部を、本体ケース１５に支持させなくてもよい。この場合、第２の回転軸３４が本体ケース１５から離れる方向に移動するようにカバー機構を駆動させると、第１のカバー部材の搬送方向における上流側の端部は、第２のカバー部材の搬送方向における下流側の端部に近づく。
【００６０】
・実施形態において、カバー機構は、第１の方向Ａにおける一方側に第１のカバー部材を配置し、第１の方向Ａにおける他方側に第２のカバー部材を配置した構成であってもよい。この場合、第１のカバー部材の第１の方向Ａにおける一方側の端部を、本体ケース１５に回動可能な状態で支持させると共に、第２のカバー部材の第１の方向Ａにおける一方側の端部を、第１のカバー部材の第１の方向Ａにおける他方側の端部に対して回動可能な状態で連結させてもよい。
【００６１】
・実施形態において、定着用ヒーター２４を設けなくてもよい。この場合、第１のカバー部材３１の被支持部３１ａを、作業領域１７よりも搬送方向における上流側に配置してもよい。そして、乾燥用ヒーター２３を、第２のカバー部材３２に支持させてもよい。
【００６２】
・実施形態において、加熱部は、作業領域１７まで搬送されたフィルム材１８に対して温風を吹き付ける装置であってもよい。
・実施形態において、記録機構２０を、作業領域１７よりも搬送方向における上流側に配置してもよい。
【００６３】
こうした構成の場合において作業領域１７の上方に配置される処理手段は、フィルム材１８を切断するための切断部材（例えば、カッター）を備えた構成であってもよい。この場合、切断部材によるフィルム材１８の切断処理が、規定の処理に相当する。
【００６４】
また、記録機構２０でフィルム材１８に付着したインクが紫外線硬化型のインクである場合、処理手段は、紫外線をフィルム材１８に照射可能な照明装置であってもよい。この場合、照明装置による照射処理が、規定の処理に相当する。
【００６５】
さらに、記録機構２０を作業領域１７よりも搬送方向における上流側に配置する場合、記録機構は、キャリッジ２１の走査方向が搬送方向と一致する所謂ラテラルスキャンタイプであってもよい。また、記録機構は、記録時にはキャリッジ２１に支持される記録ヘッド２２を移動させないタイプであってもよい。
【００６６】
・実施形態において、記録機構は、ワイヤインパクト式、熱転写式、電子写真式などの記録ヘッドを備える記録機構であってもよい。
・実施形態において、媒体としては、フィルム材１８以外の他の媒体（例えば、単票紙、ロール紙、布）などであってもよい。
【００６７】
・本発明の搬送装置を、インク以外の他の流体を噴射したり吐出したりする流体噴射装置に設けてもよく、微小量の液滴を吐出させる液体噴射ヘッド等を備える各種の液体噴射装置に設けてもよい。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。また、流体は、トナーなどの粉粒体でもよい。なお、本明細書でいう流体には、気体のみからなるものは含まないものとする。
【００６８】
次に、上記実施形態及び別の実施形態から把握できる技術的思想を以下に追記する。
（イ）前記カバー機構に対して、互いの前記対向部同士を接近させる方向への付勢力を付与する付勢手段をさらに備えることを特徴とする。
【００６９】
上記構成によれば、本体ケースの開口が開放された状態では、互いの対向部同士が対向し合う第１及び第２の各カバー部材の配置態様が付勢手段からの付勢力によって維持される。そのため、作業者の意図に反して、開口を閉塞するためにカバー機構が駆動する可能性を低くすることができる。
【符号の説明】
【００７０】
１１…記録装置の一例としてのインクジェット式プリンター、１４…開口、１５…本体ケース、１７…作業領域、１８…媒体の一例としてのフィルム材、２２…記録ヘッド、２３，２４…処理手段の一例としてのヒーター、３０…カバー機構、３１…第１のカバー部材、３１１…対向部の一例としての第１の開口部、３１ａ…第１のカバー部材の搬送方向における一方側の端部の一例としての被支持部、３１ｂ…第１のカバー部材の搬送方向における他方側の端部の一例としての連結部、３２…第２のカバー部材、３２１…対向部の一例としての第２の開口部、３２ａ…第２のカバー部材の搬送方向における一方側の端部の一例としての被連結部、３２ｂ…第２のカバー部材の搬送方向における他方側の端部の一例としての排出口構成部、３３…第１の回転軸線の一例としての第１の回転軸、３４…連結手段、第２の回転軸線、伝達部の一例としての第２の回転軸、３８…付勢手段の一例としての付勢機構、３９…操作部の一例としての開閉ハンドル、５０…ロック機構。
【図１】
2013052596.tif 000003
【図２】
2013052596.tif 000004
【図３】
2013052596.tif 000005
【図４】
2013052596.tif 000006